(57)【要約】【課題】  所定の固定具で固定された部位を強靭な剛性を保持しつつ覆うとともに、ニッパーなどの剪断工具で剪断することで、簡単に破壊することができる遊技機用カバー装置と、これを備える遊技機用基板ケース取り付け装置の提供を目的とする。【解決手段】遊技機に設けられる、所定の固定具で固定された部位を操作不能に覆うカバー３１であって、断面形状が略コの字となる、上面と対向配置された側面とを有し、各側面の対向する位置に、外部に突出するとともに、内側に溝を有する凸部３１１を備え、凸部３１１を、ニッパーなどの剪断工具で剪断可能な幅で形成してある。【選択図】      図２
2011078496.tif 000002
【特許請求の範囲】
【請求項１】
所定の固定具で固定された部位を操作不能に覆う遊技機用カバー装置であって、
断面形状が略コの字となる、上面と対向配置された側面とを有し、
前記各側面の対向する位置に、外部に突出するとともに、内側に溝を有する凸部を設け、
前記凸部は、所定の剪断工具で剪断可能な幅で形成されたことを特徴とする遊技機用カバー装置。
【請求項２】
所定のプリント基板が収容された基板ケースと、この基板ケースを装着した状態で遊技機に取り付けられるケースホルダーと、を備える基板ケース取り付け装置であって、
所定の固定具を用いて前記基板ケースを前記ケースホルダーに脱離不能に取り付ける取り付け構造と、前記固定具で固定された部位を操作不能に覆うカバー装置とを備え、
前記カバー装置は、請求項１記載の遊技機用カバー装置であることを特徴とする遊技機用基板ケース取り付け装置。
【請求項３】
前記カバー装置は、前記凸部が遊技機に対してほぼ直交するように配置され、前記固定具で固定された部位を覆う請求項２記載の遊技機用基板ケース取り付け装置。
【請求項４】
前記取り付け構造は、
前記基板ケースと前記ケースホルダーにそれぞれ設けられ、前記プリント基板面とほぼ平行に開口されるとともに、前記基板ケース取り付け状態において、前記固定具が挿通可能に連通する開口部と、
前記各開口部に挿通された前記固定具を係止する係止部と、
前記固定具に形成され、復元した状態で前記係止部に係止する弾性爪部と、を備え、
前記固定具に脱抜方向の外力を加えたときに、前記係止部に係止した前記弾性爪部の開きを制限する壁部を設けた請求項２又は３記載の遊技機用基板ケース取り付け装置。
【請求項５】
前記ケースホルダーは、前記プリント基板と対向する底部と、前記基板ケース側面を間に挟む側部とを有し、
前記取り付け構造は、前記基板ケースを前記底部に対して斜めに保持しつつ、スライド挿入して、基板ケース側面と前記側部を係合させる凹凸構造を備え、
前記凹凸構造対辺側にある前記側部に、スライド挿入される前記基板ケースの当接を逃がす段差を設けた請求項２〜４のいずれか一項に記載の遊技機用基板ケース取り付け装置。
【発明の詳細な説明】
【技術分野】
【０００１】
本発明は、所定の遊技部品を覆う遊技機用カバー装置と、これを備える遊技機用基板ケース取り付け装置に関し、特に、所定のプリント基板か収容されている基板ケースを開封不能に固定したり、この基板ケースを遊技機から取り外し不能に固定する場合において、この固定された部位を操作不能に覆うカバー装置と、これを備える遊技機用基板ケース取り付け装置に関する。
【背景技術】
【０００２】
一般に、スロットマシンやパチンコ機等の遊技機には、ゲーム性に関与する複数の基板が配設されている。
これらの基板には、遊技の結果を左右するとともに、遊技機全体を制御する主要な基板である主基板が含まれている。
主基板は、プリント基板上にＣＰＵ，ＲＯＭ，ＲＡＭ等の種々の電子部品が配置されたコンピュータとして構成されている。
このような遊技の結果を左右する主基板は、不正改造の対象となり易く、そのために、当該主基板を透明な二つのケースの間に挟んで収容するとともに、さらに、このケースを開封不能に固定している。
【０００３】
基板ケースを固定する構造は、一般的には、ケース同士を専用の固定ピン等で固定することで、開封不能としてある。
このようなケースの固定構造は、例えば、特開２００５−１９２７９２号の「遊技機用制御基板ケースの封印装置」（特許文献１）等、従来から多数提案されている。
【先行技術文献】
【特許文献】
【０００４】
【特許文献１】特開２００５−１９２７９２号公報（第２１頁、第１８図）
【特許文献２】特許第４０７１８２０号公報（第１３頁、第４図）
【発明の概要】
【発明が解決しようとする課題】
【０００５】
また、特許文献１に記載の基板ケースのように、基板ケースを開封不能に固定した場合、固定した部位をカバー部材で覆うことが行われている。
これは、開封の痕跡を残すためのもので、基板ケースを開封するには、固定した部位(例えば、固定具)を切断するなどの破壊操作を行う必要があり、それには、カバー部材の破壊を伴うため、これを開封の証拠とすることができるからである。また、開封の痕跡が残ることで、不正行為を抑止するという効果もある。
ところが、カバー部材があまりにも脆弱であり、指等で簡単に破壊されてしまうと、抑止効果も十分に発揮されにくく、基板ケース組み立て時の扱いにも余分な配慮が必要となる。
一方、不正改造の有無を確認するなどの合法的な目的でカバー部材を破壊する場合もあるため、このようなときの作業性を担保する必要もある。
また、カバー部材は、破壊の有無を確認するうえで、固定した部位が容易に視認できるように、遊技機に対面する側に凹凸が無いことが好ましい。
【０００６】
また、基板ケースを遊技機から取り外し、不正改造された基板ケースに取り替えられる場合もあるため、例えば、特許第４０７１８２０号の「基板ケース及び遊技機」（特許文献２）に記載されているように、専用の固定ピンで、基板ケースを遊技機から取り外し不能に固定する構造も提案されている。
このような構造においても、基板ケースを取り外し不能に固定するのみならず、固定した部位をカバー部材で覆い、不正な取替え行為を抑止する必要性があった。
【０００７】
本発明は、以上のような問題を解決するために提案されたものであり、所定の固定具で固定された部位を強靭な剛性を保持しつつ覆うとともに、ニッパーなどの剪断工具で剪断することで、簡単に破壊することができる遊技機用カバー装置と、これを備える遊技機用基板ケース取り付け装置の提供を目的とする。
【課題を解決するための手段】
【０００８】
上記目的を達成するため、本発明の遊技機用カバー装置は、所定の固定具で固定された部位を操作不能に覆う遊技機用カバー装置であって、断面形状が略コの字となる、上面と対向配置された側面とを有し、前記各側面の対向する位置に、外部に突出するとともに、内側に溝を有する凸部を設け、前記凸部は、所定の剪断工具で剪断可能な幅で形成された構成としてある。
【０００９】
また、本発明の基板ケース取り付け装置は、所定のプリント基板が収容された基板ケースと、この基板ケースを装着した状態で、遊技機に取り付けられるケースホルダーと、を備える基板ケース取り付け装置であって、所定の固定具を用いて前記基板ケースを前記ケースホルダーに脱離不能に取り付ける取り付け構造と、前記固定具で固定された部位を操作不能に覆うカバー装置とを備え、前記カバー装置を、請求項１記載の遊技機用カバー装置としてある。
【発明の効果】
【００１０】
本発明の遊技機用カバー装置と遊技機用基板ケース取り付け装置によれば、所定の固定具で固定された部位を強靭な剛性を保持しつつ覆うとともに、ニッパーなどの剪断工具で剪断することで、簡単に破壊することができるので、主基板などの遊技部品に対する不正改造を抑止しつつ、不正改造の有無を確認するときの作業性を向上させることができる。
【図面の簡単な説明】
【００１１】
【図１】本発明の一実施形態に係るスロットマシンの内部構成を示す概略斜視図である。
【図２】本発明の一実施形態に係る遊技機用基板ケース取り付け装置を示す概略斜視図である。
【図３】本発明の一実施形態に係る遊技機用基板ケース取り付け装置に装着される基板ケースの開放した状態を示す概略斜視図である。
【図４】本発明の一実施形態に係る基板ケース側面を下方から見た斜視図であり、カバーと開口部を示す説明図である。
【図５】本発明の一実施形態に係る遊技機用基板ケース取り付け装置を構成するケースホルダーを示す概略斜視図である。
【図６】本発明の一実施形態に係る基板ケースとケースホルダーを示す概略斜視図であり、ケースホルダーに基板ケースを取り付けるときの説明図である。
【図７】本発明の一実施形態に係る基板ケースとケースホルダーを示す上視図であり、ケースホルダーに基板ケースを取り付けるときの説明図である。
【図８】本発明の一実施形態に係る固定ピンと、固定ピンで固定される部位を蓋ケースの天面を除いて示す断面斜視図であり、各開口部が連通した状態を示す説明図である。
【図９】本発明の一実施形態に係る固定ピンで固定される部位を蓋ケースの天面を除いて示す断面図であり、各開口部が固定ピンで挿通され、固定ピンが脱抜不能に係止された状態を示す説明図である。
【図１０】本発明の一実施形態に係る基板ケースがケースホルダーから脱離不能に固定された状態を示す概略斜視図であり、固定ピンで固定される部位がカバーで覆われた状態を示す説明図である。
【図１１】本発明の一実施形態に係るカバーに形成された凸部が剪断された状態を示す概略斜視図である。
【図１２】本発明の一実施形態に係るカバーに形成された凸部が剪断された状態を示す断面斜視図であり、図１１におけるＣ−Ｃ断面斜視図である。
【図１３】本発明の一実施形態に係るカバーを分断した状態を示す概略斜視図であり、固定ピンで固定された部位が外部に露出した状態を示す説明図である。
【図１４】本発明の一実施形態に係る固定ピンを剪断した状態を示す概略斜視図である。
【発明を実施するための形態】
【００１２】
以下、本発明に係る遊技機用カバー装置と、このカバー装置を備える遊技機用基板ケース取り付け装置の好ましい実施形態について、各図を参照して説明する。
遊技機には、パチンコ機、スロットマシン、アレンジボール、雀球など様々な機類があるが、本実施形態では、メダルを遊技媒体とするスロットマシンに、本発明の遊技機用カバー装置と、遊技機用基板ケース取り付け装置を適用した場合について説明する。
【００１３】
［スロットマシン］
図１に示すように、スロットマシン１００は、複数のリール１１０ａ，１１０ｂ，１００ｃを回転させることによって遊技媒体であるメダルを獲得することができる回胴式遊技機を構成している。
スロットマシン１００は、必要な機械、装置等を収納する正面側が開口した筐体１００ｂと、筐体１００ｂの正面側を開閉可能に覆う前扉１００ａとで構成されている。
前扉１００ａは、筐体１００ｂにヒンジ等を介して開閉可能に取り付けられる扉体で、この前扉１００ａに各リール１１０の回転を始動させるスタートレバーや、回転している各リール１１０を停止させる３つの停止ボタンなどの複数の操作手段が設けられて、スロットマシン１００の正面部を構成している。
【００１４】
筐体１００ｂの中央には、リール１１０ａ，１１０ｂ，１１０ｃと、各リール１１０を回転可能に支持する図示しないモータ及び回転位置を検出するセンサ等が設けられている。
また、筐体１００ｂの下部には、メダルの貯留・払出しを行うメダル払出装置１２０が設けられ、筐体１００ｂの上部には、基板ケース１が装着された基板ケース取り付け装置１０が設けられている。
【００１５】
基板ケース１には、上記の各操作手段からの信号に基づき、各リール１１０、メダル払出装置１２０などの各装置を制御することで、スロットマシン遊技の進行制御を行う、いわゆる主基板２が収容されている。
【００１６】
このような構成からなるスロットマシン１００は、主基板２により、以下のように制御されてスロットマシン遊技が進行する。
まず、遊技者によりメダルが投入され、スタートレバーが操作されると、主基板２は、各リール１１０を回転させる制御を行うとともに、ボーナスや小役等を抽せんする内部抽せんを行い、各停止ボタンが押下操作されたタイミングに基づき、抽せん結果に応じた図柄の組合せで停止するよう、回転している各リール１１０の停止制御を行う。
また、主基板２は、各リール１１０に停止表示される図柄の組合せを判定し、所定の図柄の組合せのときには、メダル払出装置１２０に対して所定数のメダルを払い出させる制御を行う。
【００１７】
このようなスロットマシン遊技の進行を制御する主基板２は、ＣＰＵ（中央演算処理装置）、ＲＯＭ及びＲＡＭなどの記憶手段、Ｉ／ＯインターフェイスなどのＩＣ部品、抵抗、コンデンサ、トランジスタなどの様々な電子部品が実装された部品実装面２ａと、これらの部品のリード部を半田接合する半田面２ｂとからなるプリント基板で構成されている（図３参照）。
主基板２は、例えば、ＲＯＭに記憶されているプログラムの内容を書替えたり、実装されている電子部品を異なる電子部品に取り替えたりすることで、スロットマシン１００における遊技特性（例えば、出玉率）を容易に変更できるため、不正改造がなされる可能性の高い基板とされている。
【００１８】
そこで、本実施形態の基板ケース１は、図３に示すように、主基板２を蓋ケース３と本体ケース４の間に挟んで収容するとともに、所定のかしめピンを用いて蓋ケース３と本体ケース４を開封不能に固定し、さらに、図２に示すように、筐体１００ｂに取り外し不能に取り付けられる基板ケース取り付け装置１０を備え、基板ケース１が脱離不能に固定されるようにしてある。
以下、本実施形態の基板ケース取り付け装置１０の構成について、図２〜図１４を参照しつつ説明する。
【００１９】
［基板ケース取り付け装置］
基板ケース取り付け装置１０は、図２に示すように、基板ケース１と、この基板ケース１を脱離不能に固定するケースホルダー５とから構成されている。
同図に示すように、基板ケース取り付け装置１０は、係止爪５２５、ネジ７、固定ピン６、凹凸構造（後述）によって、基板ケース１をケースホルダー５に固定させるとともに、蓋ケース３が筐体１００ｂの正面側開口を向くように、基板ケース１を装着している。このように装着される基板ケース１は、以下のように構成されている。
【００２０】
基板ケース１は、図３に示すように、矩形状のケース構造を有し、主基板２の部品実装面２ａ側を覆う蓋ケース３と、半田面２ｂ側を覆う本体ケース４を備えている。
本実施形態では、主基板２は蓋ケース３に所定のネジにより螺着されて収容されるようになっている。
蓋ケース３と本体ケース４は、部品実装面２ａと半田面２ｂを外部から視認可能、かつ、容易に破壊できないように、無色透明な工業用樹脂（例えば、ポリカーボネート）で形成されている。
また、基板ケース１は、蓋ケース３と本体ケース４とを開閉可能に支持するヒンジ１ａを備えている。このヒンジ１ａは、ケース閉状態において、蓋ケース３と本体ケース４とを軸止し、ヒンジ１ａ側からケースを開放することができないように構成してある。
なお、基板ケース１は、蓋ケース３が筐体１００ｂの正面側開口に面するように、ケースホルダー５に固定されているため、部品実装面２ａが正面から見えるようになっている。
【００２１】
また、基板ケース１は、蓋ケース３と本体ケース４とを開封不能に固定するかしめ構造を備えている。
具体的には、かしめ構造は、図３に示すように、蓋ケース３に形成した蓋かしめ部３０と、本体ケース４に形成した本体かしめ部４０と、所定のかしめピン（不図示）とで構成され、蓋ケース３と本体ケース４とを閉状態にして、かしめピンを挿入口４０ａから挿入すると（図３参照）、かしめピンが各かしめ部３０,４０に亘って嵌入されるとともに、脱抜不能に係止されることで、蓋ケース３と本体ケース４とを開封不能に固定するようになっている。
【００２２】
また、基板ケース１は、固定ピン６が挿通する開口部３２を備えている。
開口部３２は、蓋ケース３側面に主基板２の基板面（部品実装面２ａ及び半田面２ｂ）とほぼ平行に開口され、基板ケース１をケースホルダー５に取り付けた状態で、ケースホルダー５に形成された開口部５２４ａ（図５参照）と、固定ピン６が挿通可能に連通するようになっている。
この開口部３２は、固定ピン６に形成された後述の弾性爪部６１（ただし、外力が加わっていない復元状態）より狭く形成されている。その結果、弾性爪部６１を弾性変形させつつ開口部３２を通過させ、復元することで弾性爪部６１が開口部３２内側に係止されるようになっている。これにより、開口部３２内側が、各開口部３２，５３４ａに挿通された固定ピンを脱抜不能に係止する係止部として動作するようになっている。
さらに、開口部３２と通じる基板ケース１内部は、主基板２が収容されるスペースと隔離された閉空間として形成され、主基板２にアクセスできないようにしてある。
また、この閉空間には、壁部３２ａを形成し、固定ピン６に脱抜方向の外力を加えたときに、開口部３２内側に係止した弾性爪部６１の開きを制限している（後述）。
【００２３】
また、基板ケース１は、固定ピン６で基板ケース１をケースホルダー５に固定する部位を覆うカバー３１を備えている。
カバー３１は、本発明に係るカバー装置の一例であり、蓋ケース３外縁から主基板２の基板面とほぼ平行に突出して、固定ピン６で固定される部位を操作不能に覆うようになっている。
具体的には、カバー３１は、図４に示すように、断面形状が略コの字となる、蓋ケース３天面と面一に連なる上面３１ａと、上面３１ａから垂下し、蓋ケース３側面と繋がる側面３１ｂと、同様に上面３１ａから垂下し、対向配置された各側面３１ｂと繋がる端面３１ｃと、からなり、四方を繋げることで、外力に対して、容易に変形・破壊されない強靭な剛性を有している。
そして、固定ピン６で固定される部位を、蓋ケース３側面と、対向配置された各側面３１ｂと、端面３１ｃとで、四方から囲むとともに、上方から上面３１ａで覆うことで、図２に示すように、固定ピン６で固定される部位がカバー３１によって覆われるようになっている。
【００２４】
また、対向配置された各側面３１ｂには、それぞれ対向する位置に、外部に突出するとともに、内側に溝３１１ａを有する凸部３１１が形成されている。
凸部３１１は、上面３１ａから垂下する補強リブとして機能し、カバー３１の曲げ剛性を向上させるように作用する。
凸部３１１は、ニッパーなどの剪断工具で剪断可能な幅で形成されている（例えば、５ｍｍ）。これにより、後述するように、この凸部３１１が剪断されると、溝３１１ａによって側面３１ｂが分断され、カバー３１が上面３１ａのみで保持されるようになる（図１２参照）。
また、カバー３１の近傍には、ネジ７が貫通される固定孔３３が形成され、基板ケース１をケースホルダー５に螺着することができるようになっている。
【００２５】
また、基板ケース１は、凹凸構造によって、基板ケース１をケースホルダー５に係合させる係合凸部３４を備えている。
係合凸部３４は、カバー３１が形成された蓋ケース３側面と対向する側面から突出する部分であり、ケースホルダー５に備える係合凹部５１２と係合するようになっている（後述）。
【００２６】
ケースホルダー５は、筐体１００ｂ後面に取り付けられる部品であり、基板ケース１が装着される台座として構成されている。
具体的には、ケースホルダー５は、図５に示すように、筐体１００ｂの正面開口側から見て、左側に配置されるホルダーＬ５１と、右側に配置されるホルダーＲ５２とを備え、これらが結合して、基板ケース１を固定するようになっている。
ケースホルダー５は、筐体１００ｂ後面に取り付けられるとともに、本体ケース４と面接触する底部５１ａ，５２ａと、基板ケース１を左側から支持する左側部５１ｂと、右側から支持する右側部５２ｂと、基板ケース１を下方から支持する下側部５１ｃと、を備え、基板ケース１側面を三方から囲むように形成されている。
【００２７】
底部５１ａ，５２ａには、止め孔５１１，５２１を形成し、ホルダーＬ５１とホルダーＲ５２を筐体１００ｂ後面にネジで螺着できるようにしてある。
また、この止め孔５１１，５２１を装着される基板ケース１によって覆われる位置に形成し、基板ケース１がケースホルダー５に脱離不能に固定された状態において、筐体１００ｂからケースホルダー５を取り外すことができないようになっている（図２参照）。
また、底部５２ａには、係止爪５２５が立設され、蓋ケース３上面に係止されるようになっている（図２参照）。
【００２８】
左側部５１ｂには、凹凸構造によって、基板ケース１をケースホルダー５に係合させる係合凹部５１２を備えている。係合凹部５１２は、係合凸部３４が挿入可能に開口され、この凹凸構造によって、基板ケース１を左側面から支持するようになっている。
【００２９】
右側部５２ｂには、固定孔５２３と、ピンホルダー５２４と、段差５２２が形成されている。
固定孔５２３は、ネジ孔として形成され、基板ケース１に形成された固定孔３３と連通し、ネジ７を螺入することで、基板ケース１をケースホルダー５に螺着させることができる。
ピンホルダー５２４は、固定ピン６をセットしておく部分で、図５に示すように、セットされた固定ピン６が脱落しないように構成されている。
具体的には、ピンホルダー５２４は、固定ピン６が挿通可能に主基板２の基板面とほぼ平行に開口された開口部５２４ａを備え、弾性変形させた固定ピン６（後述の弾性爪部５１）をこの開口部５２４ａに通過させることで、固定ピン６が脱落不能にセットされる。
また、開口部５２４ａは、基板ケース１をケースホルダー５に取り付けた状態で、基板ケース１に形成された開口部３２と連通し、固定ピン６が各開口部５２４ａ，３２に亘って挿通されるようになる。
【００３０】
段差５２２は、右側部５２ｂにおいて基板ケース１側の角部を鉛直方向に沿って切り取った部分であり、このような段差５２２を設けることで、基板ケース１をケースホルダー５に装着するときに、底部５１ａ，５２ａに対する基板ケース１の挿入角度を小さくすることができる。
具体的には、本実施形態のケースホルダー５は、対向配置された左側部５１ｂと右側部５２ｂとにより、基板ケース１両側面を挟持するとともに、凹凸構造によって、基板ケース１の左側を支持する構成なので、基板ケース１をケースホルダー５に装着するには、図６に示すように、まず、係合凸部３４と係合凹部５１２を係合させるために、底部５１ａ，５２ａに対して基板ケース１を斜めに保持しつつ、凹凸構造側（図中Ａ方向）にスライドさせて、係合凸部３４を係合凹部５１２に挿入するとともに、この凹凸構造側を支点として基板ケース１を回動させて装着しなければならない。
そうすると、右側部５２ｂにおいて基板ケース１側に角部が張り出している場合には、スライド挿入される基板ケース１右角がその角部に当接するため、基板ケース１を斜めに保持する角度を大きくせざるを得ず、ケースホルダー５の手前側に基板ケース１を斜めに保持するスペースを十分に確保できないような場合には、ケースホルダー５への装着が困難となってしまう。
【００３１】
そこで、本実施形態では、スライド挿入される基板ケース１右角の当接を逃がす段差５２２を、凹凸構造対辺側にある右側部５２ｂに設けてある。これにより、図７に示すように、右側部５２ｂの角部に基板ケース１右角が当接することなく、基板ケース１を底部５１ａ，５２ａに対して角度θで保持しつつ、係合凸部３４を係合凹部５１２にスライドして挿入することができる。
この角度θは、同図より、段差５２２を設けない場合（角部がある場合）と比べ、小さくなることは言うまでもない。
これにより、例えば、図１に示すように、基板ケース１の手前に、リール１１０が配置され、これが装着時の障害になるような場合は、少ない奥行きスペースで、基板ケース１をケースホルダー５に装着することができ、作業時の労力を軽減できる。
【００３２】
固定ピン６は、固定具の一例であり、各開口部３２，５２４ａに挿通されることで、基板ケース１をケースホルダー５から脱離不能に固定する閂（かんぬき）として機能する。
固定ピン６は、容易に破壊できない工業用樹脂（例えば、ポリカーボネート）で形成され、図８に示すように、開口部３２に挿入されて、開口部３２内側に係止される弾性爪部６１と、基板ケース１をケースホルダー５から取り外すときに、ニッパーなどの剪断工具で剪断される首部６２と、開口部５２４ａに挿通される胴部６３と、開口部５２４ａからの脱落を防止する後部６４とで構成されている。
外力が加わっていないときの弾性爪部６１と後部６４は、開口部５２４ａより大きく形成され、固定ピン６がピンホルダー５２４から脱落しないようになっている。
このように構成された固定ピン６は、各開口部３２，５２４ａに挿通されることで、以下のように、基板ケース１をケースホルダー５から脱離不能に固定する。
【００３３】
まず、図８に示すように、基板ケース１をケースホルダー５に装着し、各開口部３２，５２４ａを連通させる。
そして、ピンホルダー５２４にセットされた固定ピン６を、基板ケース１側にスライドさせて、弾性爪部６１を開口部３２に通過させる。開口部３２は外力が加わっていないときの弾性爪部６１より狭く形成されており、通過に際して弾性爪部６１は、弾性変形して狭められ、開口部３２を通過すると復元する。その結果、図９に示すように、弾性爪部６１は開口部３２内側に係止され、固定ピン６は、開口部３２，５３４ａに亘って挿通された状態で、脱抜することができないようになる。
この状態で、例えば、基板ケース１を取り外そうとすると、ピンホルダー５２４にセットされた固定ピン６が凹凸構造（係合凸部３４，係合凹部５１２）を支点とする基板ケース１の回動を阻止するように作用する。このように、固定ピン６は、閂（かんぬき）として機能するようになっている。
【００３４】
さらに、本実施形態の基板ケース取り付け装置１０は、この挿通された状態にある固定ピン６に脱抜方向の外力を加えたときに、弾性爪部６１の開きを制限するようにしてある。
弾性爪部６１は、脱抜方向の外力を加えると、爪が開くように変形し、さらに外力が加わると、爪が破断し、最終的には固定ピン６が脱抜されるおそれがある。
そこで、図９に示すように、開口部３２内側の閉空間に、弾性爪部６１の開きを制限する壁部３２ａをそれぞれの爪に対応して対向配置してある。
この壁部３２ａの間隔Ｌは、外力が加わっていないときの弾性爪部６１とほぼ同じ長さ（幅）としてある。これにより、固定ピン６に脱抜方向の外力を加えても、弾性爪部６１の開きが壁部３２ａにより妨げられ、固定ピン６を脱抜不能とすることができる。
【００３５】
そして、このように固定ピン６で固定された部位は、図１０に示すように、カバー３１で覆われる。前述したように、カバー３１は、上面３１ａと、蓋ケース３側面と、上面３１ａから垂下する、側面３１ｂ及び端面３１ｃとが繋げられた略コの字の断面形状を有するとともに、側面３１ｂに対向配置された凸部３１１が補強リブとして機能し、容易に変形・破壊されない強靭な剛性を備えているので、固定ピン６で固定された部位を強力に保護することができる。
これにより、基板ケース１の組み立て・サービス時に、誤ってぶつけた場合でも、外部からの衝撃等から、固定ピン６で固定された部位を保護することができる。また、凸部３１１に剛性があるため、剪断工具を用いずに凸部３１１を破壊するには、相当の外力を加えなければならないため、破壊による痕跡を確実に残すことができる。
【００３６】
また、各開口部３２，５３４ａは、主基板２の基板面とほぼ平行に開口されているので、これらに挿通される固定ピン６も必然的に基板面とほぼ平行となる。その結果、固定ピン６は、その長手方向が筐体１００ｂの正面側を向くため、固定ピン６に対する破壊操作の有無を容易に確認できる。
さらに、カバー３１は、凸部３１１を側面３１ｂに形成してあるので、上面３１ａには、何ら凹凸もなく、蓋ケース３天面と面一に連なるため、固定ピン６で固定された部位の視認性が最大限に確保される。
【００３７】
そして、本実施形態の基板ケース取り付け装置１０は、固定ピン６がセットされたピンホルダー５２４と開口部３２とをそれぞれ２箇所備え、図１０に示すように、上部に配置された固定ピン６を予備とし、下部に配置された固定ピン６を開口部３２に挿入し、基板ケース１をケースホルダー５から脱離不能に固定した状態で筐体１００ｂに取り付けられ、メーカーから出荷されるようになっている。
【００３８】
次に、脱離不能に固定された基板ケース１をケースホルダー５から取り外す動作について、図１０〜図１４を参照して説明する。
まず、図１０に示すように、下部に配置された固定ピン６が開口部３２に挿入され、基板ケース１がケースホルダー５に固定された状態において、ニッパー等の剪断工具により、対向配置された２箇所の凸部３１１を、ラインＢに沿って剪断する。
凸部３１１は、筐体１００ｂの正面側開口を向く上面３１ａから垂下するため、筐体１００ｂ正面に対してほぼ直交するように形成されている。このため、ニッパー等の剪断工具を筐体１００ｂ正面開口からまっすぐに挿入して凸部３１１を剪断することができる。鋏などの剪断工具は、通常、被剪断部材に対して直角に切り込む方が剪断し易いため、凸部３１１を筐体１００ｂ正面に対してほぼ直交するように形成することで、剪断時の作業性が向上し、不正改造の有無を確認する際の労力を軽減できる。
【００３９】
２箇所の凸部３１１を、ラインＢに沿って剪断すると、図１１に示すように、溝３１１ａによって側面３１ｂが分断され、端面３１ｃを有するカバー３１は上面３１ａのみで保持されるようになる。
この状態における、各凸部３１１を通るＣ−Ｃ断面図を図１２に示す。同図に示すように、未剪断のカバー３１は、断面形状が略コの字であるものの、剪断済のカバー３１は、上面３１ａのみの一枚板となり、断面コの字のときと比べ、極めて脆弱なものとなる。
そこで、剪断済のカバー３１に、手前側に引く外力を加えることで、図１３に示すように、カバー３１の端面３１ｃを有する側を、この断面を境にして、容易に分断することができる。
これにより、カバー３１に破壊の痕跡を明確に残すことができるとともに、破断線が筐体１００ｂの正面と平行になるため、破壊の有無を容易に確認できる。また、固定ピン６で固定された部位が露出され、図１４に示すように、固定ピン６の首部６２を、ニッパー等の剪断工具を用いて剪断することで、固定ピン６を、開口部３２内側に係止された弾性爪部６１と、開口部５２４ａに挿通した胴部６３とに、分断することができる。
これにより、固定ピン６は閂（かんぬき）として動作しなくなり、基板ケース１をケースホルダー５から取り外すことができる。
【００４０】
以上説明したように、本実施形態に係るカバー３１と、このカバー３１を備える基板ケース取り付け装置１０によれば、固定ピン６で固定された部位を強靭な剛性を保持しつつ覆うとともに、ニッパーなどの剪断工具で剪断することで、簡単に破壊することができるので、主基板などの遊技部品に対する不正改造を抑止しつつ、不正改造の有無を確認するときの作業性を向上させることができる。
【００４１】
以上、本発明の遊技機用カバー装置と、この遊技機用カバー装置を備える遊技機用基板ケース取り付け装置について、好ましい実施形態を示して説明したが、本発明に係る遊技機用カバー装置と遊技機用基板ケース取り付け装置は、上述した実施形態にのみ限定されるものではなく、本発明の範囲で種々の変更実施が可能であることはいうまでもない。
【００４２】
例えば、本実施形態では、基板ケース１に収容するプリント基板を主基板としたが、スピーカやランプ等を制御する演出用の基板であるサブ基板や、その他の基板を収容することもできる。
また、基板ケース１は、所定のかしめピンを用いて蓋ケース３と本体ケース４とを開封不能に固定するかしめ構造を備えている。このかしめ構造は、かしめピンで固定される部位に対応するため、例えば、蓋かしめ部３０をカバー３１と同様に構成し、本発明のカバー装置として機能させることもできる。
また、固定具は、ピンやネジ等に限らず、コネクタ同士を係合させる係合構造をも含み、この場合には、コネクタ同士の接続部が固定された部位となり、この部位を本発明の遊技機用カバー装置で覆うこともできる。
また、本実施形態では、プリント基板（主基板２）を蓋ケース３に固定したが、本体ケース４に固定することもできる。
【産業上の利用可能性】
【００４３】
本発明は、所定の固定具で固定された遊技部品を覆うカバー装置として広く利用することができる。
【符号の説明】
【００４４】
１  基板ケース
２  主基板
３  蓋ケース
３０  蓋かしめ部
３１  カバー（カバー装置）
３１ａ  上面
３１ｂ  側面
３１ｃ  端面
３１１  凸部
３１１ａ  溝
３２  開口部
３２ａ  壁部
３３  固定孔
３４  係合凸部（凹凸構造）
４  本体ケース
４０  本体かしめ部
５  ケースホルダー
５１ａ，５２ａ  底部
５１ｂ，５２ｂ  側部
５１２  係合凹部５１２（凹凸構造）
５２２  段差
５２４  ピンホルダー
５２４ａ  開口部
６  固定ピン（固定具）
６１  弾性爪部
１０  基板ケース取り付け装置
１００  スロットマシン
【図１】
2011078496.tif 000003
【図２】
2011078496.tif 000004
【図３】
2011078496.tif 000005
【図４】
2011078496.tif 000006
【図５】
2011078496.tif 000007
【図６】
2011078496.tif 000008
【図７】
2011078496.tif 000009
【図８】
2011078496.tif 000010
【図９】
2011078496.tif 000011
【図１０】
2011078496.tif 000012
【図１１】
2011078496.tif 000013
【図１２】
2011078496.tif 000014
【図１３】
2011078496.tif 000015
【図１４】
2011078496.tif 000016